(57)【要約】【課題】情報記憶媒体の存在状態に応じた起動処理が可能な起動制御方法を提供すること。【解決手段】本発明の一実施形態に係る起動制御方法は、第１の情報記憶媒体から情報を読み出す第１のドライブと、着脱可能な第２の情報記憶媒体から情報を読み出す第２のドライブとを備えた装置の起動を制御する起動制御方法であって、起動要求に対応して、前記第２の情報記憶媒体の存在情報を参照し、前記第２の情報記憶媒体が無いとの判断に基づき前記第１及び第２のドライブをチェックし起動を完了し、前記第２の情報記憶媒体が有るとの判断に基づき前記第１のドライブをチェックし、起動を完了する。【選択図】図２
2011134373.tif 000002
【特許請求の範囲】
【請求項１】
第１の情報記憶媒体から情報を読み出す第１のドライブと、
着脱可能な第２の情報記憶媒体から情報を読み出す第２のドライブと、
起動要求に対応して、前記第２の情報記憶媒体の存在情報を参照し、前記第２の情報記憶媒体が無いとの判断に基づき前記第１及び第２のドライブをチェックし起動を完了し、前記第２の情報記憶媒体が有るとの判断に基づき前記第１のドライブをチェックし、起動を完了する起動制御手段と、
を備えた起動制御装置。
【請求項２】
前記起動制御手段は、前記第２の情報記憶媒体が無いとの判断に基づき前記第１のドライブをチェックし、前記第１の情報記憶媒体から情報を読み出し前記第１の情報記憶媒体もチェックし、前記第２のドライブをチェックし起動を完了し、前記第２の情報記憶媒体が有るとの判断に基づき前記第１のドライブをチェックし、前記第１の情報記憶媒体から情報を読み出し前記第１の情報記憶媒体もチェックし、前記第２のドライブをチェックし、起動を完了することを特徴とする請求項１に記載の起動制御装置。
【請求項３】
前記起動制御手段は、前記第２の情報記憶媒体が有るとの判断に基づき前記第１のドライブをチェックし、前記第１の情報記憶媒体から情報を読み出し前記第１の情報記憶媒体もチェックし、前記第２のドライブをチェックし、前記第２の情報記憶媒体へアクセスすることなく起動を完了することを特徴とする請求項２に記載の起動制御装置。
【請求項４】
前記起動制御手段は、前記第２のドライブの起動を必要とする前記起動要求に対応して、前記第２の情報記憶媒体が有るとの判断に基づき前記第１のドライブをチェックし、前記第１の情報記憶媒体から情報を読み出し前記第１の情報記憶媒体もチェックし、前記第２のドライブをチェックし、前記第２の情報記憶媒体から情報を読み出し前記第２の情報記憶媒体もチェックし、起動を完了することを特徴とする請求項２に記載の起動制御装置。
【請求項５】
前記起動制御手段は、前記第２の情報記憶媒体に対する予約録画のための前記起動要求に対応して、前記第２の情報記憶媒体が有るとの判断に基づき前記第１のドライブをチェックし、前記第１の情報記憶媒体から情報を読み出し前記第１の情報記憶媒体もチェックし、前記第２のドライブをチェックし、前記第２の情報記憶媒体から情報を読み出し前記第２の情報記憶媒体もチェックし、起動を完了することを特徴とする請求項２に記載の起動制御装置。
【請求項６】
前記起動制御手段は、前記第２の情報記憶媒体が無いとの判断に基づき前記第１及び第２のドライブに対して電力を供給し、前記第１のドライブをチェックし、前記第１の情報記憶媒体から情報を読み出し前記第１の情報記憶媒体もチェックし、前記第２のドライブをチェックし起動を完了し、前記第２の情報記憶媒体が有るとの判断に基づき前記第１及び第２のドライブに対して電力を供給し、前記第１のドライブをチェックし、前記第１の情報記憶媒体から情報を読み出し前記第１の情報記憶媒体もチェックし、前記第２のドライブをチェックし、前記第２のドライブに対する電力供給を停止し、起動を完了することを特徴とする請求項２に記載の起動制御装置。
【請求項７】
前記起動制御手段は、電力供給停止要求に対応して、前記第２の情報記憶媒体の存在が確認された場合には前記第２の記憶媒体が有ることを示す前記存在情報を記憶し、前記第２の情報記憶媒体の存在が確認されない場合には前記第２の記憶媒体が無いことを示す前記存在情報を記憶し、電力供給を停止することを特徴とする請求項１に記載の起動制御装置。
【請求項８】
前記第１のドライブは、ハードディスクドライブであり、
前記第２のドライブは、光ディスクドライブであることを特徴とする請求項１に記載の起動制御装置。
【請求項９】
第１の情報記憶媒体から情報を読み出す第１のドライブと、着脱可能な第２の情報記憶媒体から情報を読み出す第２のドライブとを備えた装置の起動を制御する起動制御方法であって、
起動要求に対応して、前記第２の情報記憶媒体の存在情報を参照し、前記第２の情報記憶媒体が無いとの判断に基づき前記第１及び第２のドライブをチェックし起動を完了し、前記第２の情報記憶媒体が有るとの判断に基づき前記第１のドライブをチェックし、起動を完了する起動制御方法。
【発明の詳細な説明】
【技術分野】
【０００１】
本発明は、例えばハードディスクドライブと光ディスクドライブとを備えた装置の起動を制御する起動制御装置及び起動制御方法に関する。
【背景技術】
【０００２】
近年、デジタルテレビ放送を記録したり再生したりすることが可能な記録再生装置が普及している。例えば、記録再生装置は、ハードディスクドライブと光ディスクドライブとを備え、ハードディスクドライブ又は光ディスクドライブによりデジタルテレビ放送を記録したり再生したりすることができる。このように記録再生装置が２ドライブを備えることにより、目的に応じた記録等が可能となる。
【０００３】
例えば、多数の番組を記録したい場合にはハードディスクドライブにより大容量ハードディスクにこれら多数の番組を次々に記録することができる。記録した番組を別の再生装置等で視聴したい場合には、光ディスクドライブにより着脱可能なＤＶＤ（Digital Versatile Disk）又はＢＤ（blu-ray Disk）（登録商標）などに番組を記録することができる。
【０００４】
上記したように一台の記録再生装置が二つのドライブを備えることにより、記録メディアを選択できるという点で利便性は向上する。一方で、このように二つのドライブを備えた記録再生装置は起動までに比較的長い時間を必要とすることがある。それは、パワーオンの操作に対応して、記録再生装置に対して電力が供給されると、記録再生装置は二つのドライブをチェックし、ハードディスクから情報を読み出してハードディスクをチェックし、さらに光ディスクドライブに光ディスクが装填されている場合には、光ディスクから情報を読み出して光ディスクもチェックするからである。
【０００５】
電源投入時の起動時間の短縮を図るために、例えば、記録再生装置が、電源投入時に、設定された機能を起動させる技術が提案されている（特許文献１参照）。
【先行技術文献】
【特許文献】
【０００６】
【特許文献１】特開２００６−２３６４６５号公報
【発明の概要】
【発明が解決しようとする課題】
【０００７】
上記特許文献に開示された技術により、光ディスクのチェック時間を省きたい場合には、機能設定により、光ディスクドライブの起動を除外することが考えられる。しかしながら、これでは、光ディスクドライブに光ディスクが装填されていない場合にも、光ディスクドライブの起動は除外されてしまう。つまり、常時、光ディスクドライブの起動が除外されてしまうため、光ディスクドライブの利便性が低下してしまう。
【０００８】
本発明の目的は、情報記憶媒体の存在状態に応じた起動処理が可能な起動制御装置及び起動制御方法を提供することにある。
【課題を解決するための手段】
【０００９】
本発明の一実施形態に係る起動制御装置は、第１の情報記憶媒体から情報を読み出す第１のドライブと、着脱可能な第２の情報記憶媒体から情報を読み出す第２のドライブと、起動要求に対応して、前記第２の情報記憶媒体の存在情報を参照し、前記第２の情報記憶媒体が無いとの判断に基づき前記第１及び第２のドライブをチェックし起動を完了し、前記第２の情報記憶媒体が有るとの判断に基づき前記第１のドライブをチェックし、起動を完了する起動制御手段とを備える。
【００１０】
本発明の一実施形態に係る起動制御方法は、第１の情報記憶媒体から情報を読み出す第１のドライブと、着脱可能な第２の情報記憶媒体から情報を読み出す第２のドライブとを備えた装置の起動を制御する起動制御方法であって、起動要求に対応して、前記第２の情報記憶媒体の存在情報を参照し、前記第２の情報記憶媒体が無いとの判断に基づき前記第１及び第２のドライブをチェックし起動を完了し、前記第２の情報記憶媒体が有るとの判断に基づき前記第１のドライブをチェックし、起動を完了する。
【発明の効果】
【００１１】
本発明によれば、情報記憶媒体の存在状態に応じた起動処理が可能な起動制御装置及び起動制御方法を提供できる。
【図面の簡単な説明】
【００１２】
【図１】情報記録再生装置のパワーオフ処理の一例を示すフローチャートである。
【図２】情報記録再生装置のパワーオン処理の一例を示すフローチャートである。
【図３】光ディスクドライブに対するアクセス要求処理の一例を示すフローチャートである。
【図４】本発明の一実施形態に係る情報記録再生装置（起動制御装置）の概略構成を示すブロック図である。
【図５】本実施形態で説明したパワーオン処理を適用しない場合の起動完了までの時間を説明するための図である。
【図６】本実施形態で説明したパワーオン処理を適用した場合の起動完了までの時間を説明するための図である。
【図７】本実施形態で説明したパワーオン処理を適用しない場合の起動完了までの処理を説明するためのフローチャートである。
【図８】本実施形態で説明したパワーオン処理を適用した場合の起動完了までの処理を説明するためのフローチャートである。
【発明を実施するための形態】
【００１３】
以下、図面を参照し、本発明の実施形態について説明する。
【００１４】
図４は、本発明の一実施形態に係る情報記録再生装置（起動制御装置）の概略構成を示すブロック図である。図４に示すように、情報記録再生装置１は、光ディスクドライブ１０１、ハードディスクドライブ（ＨＤＤ）１０２、制御部１０３、電源回路１０４、チューナー１０５、映像出力部１０６、電源部１０７、ＤＲＡＭ１０８、タイマーマイコン１０９、Ｆｌａｓｈフラッシュメモリ１１０、Ｆｌａｓｈュメモリ１１１、ＳＲＡＭメモリ１１２、ＤＲＡＭメモリ１１３、ＡＣコンセント１１４、操作部１１５、受光部１１６を備えている。
【００１５】
操作部１１５を介してパワーオンが操作されると操作部１１５はパワーオンを制御部１０３へ通知する。或いはリモートコントローラ１１６ａを介してパワーオンが操作されると受光部１１６はパワーオンの操作信号を受光しパワーオンを制御部１０３へ通知する。パワーオンの通知を受けた制御部１０３は、ＡＣコンセント１１４及び電源部１０７を介して必要な電力を各部へ供給し起動処理を実行する。なお、起動処理については後に詳しく説明する。
【００１６】
続いて、再生処理（視聴処理）及び録画処理について説明する。例えば、操作部１１５又はリモートコントローラ１１６ａを介してチャンネル００１が指定されると、チャンネル００１の指定が、制御部１０３へ通知され、さらにチューナー１０５へ通知される。チューナー１０５は、アンテナ３で受信された放送信号から指定されたチャンネル００１の信号を選択し、選択されたチャンネル００１の信号は映像出力部１０６へ供給される。映像出力部１０６は、選択されたチャンネル００１の信号をデコードしＴＶ２へ出力する。
【００１７】
この状態で、例えば、操作部１１５又はリモートコントローラ１１６ａを介して録画が指定され、録画先がＨＤＤに指定されている場合には、制御部１０３は、チャンネル００１の信号を所定の記録形式へ変換し、ＨＤＤ１０２へ供給する。ＨＤＤ１０２は、変換された所定の記録形式のチャンネル００１の信号をハードディスクへ記録する。或いは、録画先が光ディスクに指定されている場合には、制御部１０３は、チャンネル００１の信号を所定の記録形式へ変換し、光ディスクドライブ１０１へ供給する。光ディスクドライブ１０１は、変換された所定の記録形式のチャンネル００１の信号を光ディスク１０１ａへ記録する。
【００１８】
或いは、操作部１１５又はリモートコントローラ１１６ａを介して録画予約情報が入力されると、入力された録画予約情報はＦｌａｓｈフラッシュメモリ１１０に記憶される。タイマーマイコン１０９は、Ｆｌａｓｈフラッシュメモリ１１０に記憶された録画予約情報に基づき制御部１０３に対して録画を指示し、制御部１０３は、録画予約情報に基づき録画動作を実行する。
【００１９】
次に、図１を参照し、情報記録再生装置のパワーオフ処理の一例について説明する。
【００２０】
操作部１１５又はリモートコントローラ１１６ａを介してパワーオフが操作されると、制御部１０３はパワーオフ処理を実行する。即ち、制御部１０３は、光ディスクドライブ１０１に光ディスク１０１ａが装填されているか否かをチェックする。制御部１０３が、光ディスク１０１ａの存在を確認した場合には（ＳＴ１０１、ＹＥＳ）、光ディスク１０１ａが有ることを示す存在情報を不揮発性メモリ（Ｆｌａｓｈメモリ１１１）へ記録し（ＳＴ１０３）、各部に対する電力供給を停止する（ＳＴ１０４）。制御部１０３が、光ディスク１０１ａの存在を確認できなかった場合には（ＳＴ１０１、ＮＯ）、光ディスク１０１ａが無いことを示す存在情報を不揮発性メモリ（Ｆｌａｓｈメモリ１１１）へ記録し（ＳＴ１０２）、各部に対する電力供給を停止する（ＳＴ１０４）。
【００２１】
なお、光ディスク１０１ａの存在が確認された場合であって、既に、光ディスク１０１ａが有ることを示す存在情報が不揮発性メモリに記録されている場合には、存在情報の書き換え（更新処理）を省略するようにしてもよい。同様に、なお、光ディスク１０１ａの存在が確認できなかった場合であって、既に、光ディスク１０１ａが無いことを示す存在情報が不揮発性メモリに記録されている場合には、存在情報の書き換え（更新処理）を省略するようにしてもよい。
【００２２】
続いて、図２を参照して、情報記録再生装置のパワーオン処理の一例について説明する。
【００２３】
操作部１１５又はリモートコントローラ１１６ａを介してパワーオンが操作されると、制御部１０３はパワーオン処理を実行する。即ち、制御部１０３は、不揮発性メモリ（Ｆｌａｓｈメモリ１１１）に記録された存在情報を読み取る（ＳＴ２０１）。制御部１０３が、読み取った存在情報から、光ディスクドライブ１０１に光ディスクが無いと判断した場合には（ＳＴ２０２、ＮＯ）、ハードディスクドライブ１０２及び光ディスクドライブ１０１への電力供給を開始し（ＳＴ２０３）、ハードディスクドライブ１０２と通信しハードディスクドライブ１０２をチェックし、ハードディスクに記録された情報（例えば管理情報）を読み出しハードディスクの状態もチェックし、さらに、光ディスクドライブ１０１と通信し光ディスクドライブ１０１をチェックし、起動を完了する（ＳＴ２０４）。
【００２４】
制御部１０３が、読み取った存在情報から、光ディスクドライブ１０１に光ディスクが有ると判断し（ＳＴ２０２、ＹＥＳ）、さらに、録画予約情報に基づくパワーオンであるならば（ＳＴ２０５、ＹＥＳ）、ハードディスクドライブ１０２及び光ディスクドライブ１０１への電力供給を開始し（ＳＴ２０３）、ハードディスクドライブ１０２と通信しハードディスクドライブ１０２をチェックし、ハードディスクに記録された情報（例えば管理情報）を読み出しハードディスクの状態もチェックし、さらに、光ディスクドライブ１０１と通信し光ディスクドライブ１０１をチェックし、光ディスク１０１ａに記録された情報（例えば管理情報）を読み出し光ディスク１０１ａの状態もチェックし、起動を完了する（ＳＴ２０４）。
【００２５】
制御部１０３が、読み取った存在情報から、光ディスクドライブ１０１に光ディスクが有ると判断し（ＳＴ２０２、ＹＥＳ）、さらに、録画予約情報に基づくパワーオンでないならば（ＳＴ２０５、ＮＯ）、ハードディスクドライブ１０２及び光ディスクドライブ１０１への電力供給を開始し（ＳＴ２０６）、ハードディスクドライブ１０２と通信し（ＳＴ２０７）ハードディスクドライブ１０２をチェックし（ＳＴ２０８）、ハードディスクに記録された情報（例えば管理情報）を読み出しハードディスクの状態もチェックし、さらに、光ディスクドライブ１０１と通信し（ＳＴ１０７）光ディスクドライブ１０１をチェックし（ＳＴ２０８）、異常がなければ（ＳＴ２０８、ＮＯ）、光ディスクドライブ１０１への電力供給を停止し（ＳＴ２０９）、起動を完了する（ＳＴ２０４）。つまり、光ディスク１０１ａへアクセスすることなく、つまり光ディスク１０１ａのイニシャル処理を省いて、起動を完了することができる。
【００２６】
なお、異常が検出された場合には（ＳＴ２０８、ＹＥＳ）、エラーが報告され（ＳＴ２１０）、終了となる。
【００２７】
続いて、図３を参照して、光ディスクドライブに対するアクセス要求処理の一例について説明する。
【００２８】
例えば、操作部１１５又はリモートコントローラ１１６ａを介して光ディスク選択が操作されると、制御部１０３は、光ディスクドライブ１０１に対するアクセス要求処理を開始する。或いは、録画予約情報に基づき光ディスクへの録画予約時刻の数分前になると、制御部１０３は、光ディスクドライブ１０１に対するアクセス要求処理を開始する。或いは、操作部１１５又はリモートコントローラ１１６ａを介して光ディスクイジェクトが操作されると、制御部１０３は、光ディスクドライブ１０１に対するアクセス要求処理を開始する。
【００２９】
光ディスクドライブ１０１に対して電力が供給されている状態であれば（ＳＴ３０１、ＹＥＳ）、制御部１０３は、光ディスクドライブ１０１に対してアクセスを要求する（ＳＴ３０２）。
【００３０】
光ディスクドライブ１０１に対して電力が供給されていない状態であれば（ＳＴ３０１、ＮＯ）、制御部１０３は、光ディスクドライブ１０１に対して電力供給を開始する。光ディスクイジェクトに対応したアクセス要求であれば（ＳＴ３０４、ＹＥＳ）、光ディスクドライブ１０１に挿入されている光ディスク１０１ａのイニシャル処理の終了を待つ必要は無いため、制御部１０３は、直ぐに、光ディスクイジェクトに対応したアクセス要求を光ディスクドライブ１０１に発行する（ＳＴ３０２）。光ディスクイジェクトではないアクセス要求であれば（ＳＴ３０４、ＮＯ）、制御部１０３は、光ディスク１０１ａのイニシャル処理を終了してから（ＳＴ３０５、ＹＥＳ）、アクセス要求を光ディスクドライブ１０１に発行する（ＳＴ３０２）。
【００３１】
続いて、図５及び図６を参照し、本実施形態で説明したパワーオン処理の効果等について説明する。図５は、本実施形態で説明したパワーオン処理を適用しない場合の起動完了までの時間を説明するための図である。図６は、本実施形態で説明したパワーオン処理を適用した場合の起動完了までの時間を説明するための図である。
【００３２】
図５に示すように、ユーザ操作によるパワーオン、又は録画予約情報に基づくパワーオンのいずれの場合であっても、光ディスクドライブ内に光ディスクが無い場合は、システムチェック、ハードディスクドライブチェック、光ディスクドライブ通信チェック、光ディスクドライブのレディ状態チェックを経て、装置（レコーダ）がレディ状態となる。同様に、光ディスクドライブ内に光ディスクが有る場合も、システムチェック、ハードディスクドライブチェック、光ディスクドライブ通信チェック、光ディスクドライブのレディ状態チェックを経て、装置（レコーダ）がレディ状態となる。ところが、光ディスクドライブ内に光ディスクが有る場合は、光ディスクドライブのレディ状態チェックに時間がかかる。これは、光ディスクドライブ内の光ディスクについてもチェックしているためである。よって、上記説明したパワーオン処理を適用しない場合には、光ディスクドライブ内に光ディスクがある場合と無い場合とで、装置（レコーダ）がレディ状態になるまでに大きな時間差が生じる。例えば、光ディスクドライブ内に光ディスクがあると、装置（レコーダ）がレディ状態になるまでの待ち時間が長く、ハードディスクを使おうとしているユーザにとって不便である。光ディスクの利用頻度に比べてハードディスクの利用頻度が高い場合には、特に不便である。
【００３３】
これに対して、図６に示すように、ユーザ操作によるパワーオンの場合であって、光ディスクドライブ内に光ディスクが有る場合は、システムチェック、ハードディスクドライブチェック、光ディスクドライブ通信チェックを経て、装置（レコーダ）がレディ状態となる。光ディスクドライブのレディ状態チェックが省略されるため、短時間で、装置（レコーダ）がレディ状態となることができる。
【００３４】
ユーザ操作によるパワーオンの場合であって、光ディスクドライブ内に光ディスクが無い場合は、システムチェック、ハードディスクドライブチェック、光ディスクドライブ通信チェック、光ディスクドライブのレディ状態チェックを経て、装置（レコーダ）がレディ状態となる。
【００３５】
このように、上記説明したパワーオン処理を適用した場合には、光ディスクドライブ内にディスクがある場合と無い場合とで、装置（レコーダ）がレディ状態になるまでに大きな時間差は生じない。また、図５に示す光ディスクドライブ内に光ディスクが挿入されている場合における装置（レコーダ）がレディ状態となるまでの時間と、図６に示すユーザ操作によるパワーオンの場合であって光ディスクドライブ内に光ディスクが挿入されている場合における装置（レコーダ）がレディ状態となるまでの時間とを比較すると、大幅にレディ状態となるまでの時間が短縮されていることが分かる。
【００３６】
なお、図６に示す、録画予約情報によるパワーオンの場合には、システムチェック、ハードディスクドライブチェック、光ディスクドライブ通信チェック、光ディスクドライブのレディ状態チェックを経て、装置（レコーダ）がレディ状態となる。この場合、光ディスクドライブ内の光ディスクについてもチェックしているため、光ディスクドライブのレディ状態チェックに時間がかかる。
【００３７】
さらに、図７及び図８を参照し、本実施形態で説明したパワーオン処理の効果等について説明する。図７は、本実施形態で説明したパワーオン処理を適用しない場合の起動完了までの処理を説明するためのフローチャートである。図８は、本実施形態で説明したパワーオン処理を適用した場合の起動完了までの処理を説明するためのフローチャートである。
【００３８】
図７に示すように、ユーザ操作によるパワーオン、又は録画予約情報に基づくパワーオンのいずれの場合であっても、システムチェック（ＳＴ７０１）、ハードディスクドライブチェック（ＳＴ７０３）、光ディスクドライブ通信チェック（ＳＴ７０４）、光ディスクドライブのレディ状態チェックを経て、異常が無く（ＳＴ７０２、ＮＯ）（ＳＴ７０４、ＮＯ）（ＳＴ７０６、ＮＯ）、光ディスクドライブがレディ状態になれば（ＳＴ７０７、ＹＥＳ）、装置（レコーダ）がレディ状態となる。上記したように、光ディスクドライブ内にディスクがある場合と無い場合とで、装置（レコーダ）がレディ状態になるまでに大きな時間差が生じる。
【００３９】
一方、図８に示すように、ユーザ操作によるパワーオンの場合であって、光ディスクドライブ内に光ディスクが有る場合は、システムチェック（ＳＴ８０１）、ハードディスクドライブチェック（ＳＴ８０３）、光ディスクドライブ通信チェック（ＳＴ８０５）を経て、異常が無ければ（ＳＴ８０２、ＮＯ）（ＳＴ８０４、ＮＯ）（ＳＴ８０６、ＮＯ）、さらに、ユーザ操作によるパワーオン（ＳＴ８０７、ＮＯ）、光ディスク有り（ＳＴ８０８、ＹＥＳ）の条件により、光ディスクドライブへの電力供給が停止され（ＳＴ８１０）、直ぐに、装置（レコーダ）がレディ状態となる。
【００４０】
ユーザ操作によるパワーオンの場合であって、光ディスクドライブ内に光ディスクが無い場合は、システムチェック（ＳＴ８０１）、ハードディスクドライブチェック（ＳＴ８０３）、光ディスクドライブ通信チェック（ＳＴ８０５）を経て、異常が無ければ（ＳＴ８０２、ＮＯ）（ＳＴ８０４、ＮＯ）（ＳＴ８０６、ＮＯ）、さらに、ユーザ操作によるパワーオン（ＳＴ８０７、ＮＯ）、光ディスク無し（ＳＴ８０８、ＮＯ）の条件により、光ディスクドライブがレディ状態になれば（ＳＴ８０９、ＹＥＳ）、装置（レコーダ）がレディ状態となる。
【００４１】
録画予約情報によるパワーオンの場合は、システムチェック（ＳＴ８０１）、ハードディスクドライブチェック（ＳＴ８０３）、光ディスクドライブ通信チェック（ＳＴ８０５）を経て、異常が無ければ（ＳＴ８０２、ＮＯ）（ＳＴ８０４、ＮＯ）（ＳＴ８０６、ＮＯ）、さらに、録画予約情報によるパワーオン（ＳＴ８０７、ＹＥＳ）の条件により、光ディスクドライブがレディ状態になれば（ＳＴ８０９、ＹＥＳ）、装置（レコーダ）がレディ状態となる。
【００４２】
本実施形態のパワーオン処理についてまとめる。
【００４３】
情報記録再生装置に対する電力供給が停止される前に、情報記録再生装置は光ディスクドライブに光ディスクが有るか否かを示す存在情報を記憶する。情報記録再生装置に対して再び電力が供給されたときに、情報記録再生装置は存在情報を参照し光ディスクドライブに光ディスクが有るか否かを確認する。つまり情報記録再生装置は光ディスクドライブを介して光ディスクの有無をチェックしなくても、光ディスクの有無を検出することができる。光ディスクが無い場合には、情報記録再生装置は、光ディスクに対するイニシャル処理を実行することなく、起動を完了する。光ディスクが有る場合には、情報記録再生装置は、光ディスクに対するイニシャル処理を省略し、起動を完了する。これにより、光ディスクが有る場合の起動時間を大幅に短縮することができる。光ディスクドライブよりもハードディスクドライブを頻繁に使う環境下では、この効果は大きい。つまり、光ディスクドライブに対して光ディスクが挿入されっ放しになっていても、光ディスクドライブに対して光ディスクが挿入されていない状態と同じ起動時間で、起動を完了することができる。
【００４４】
なお、本発明は、上記したパワーオン処理に限定されるものではない。例えば、光ディスクの有無に関係なく、光ディスクドライブのチェックが完了したら、光ディスクドライブに対する電力供給を停止し、起動を完了するようにしてもよい。或いは、光ディスクの有無に関係なく、ハードディスクドライブのチェックが完了し、ハードディスクのチェックも完了したら、光ディスクドライブをチェックすることなく、起動を完了するようにしてもよい。光ディスクドライブが必要になってから、光ディスクドライブのチェック等を実行する。よって、光ディスクドライブを使うことがなければ、大幅に消費電力を削減することができる。
【００４５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００４６】
１…情報記録再生装置、１０１…光ディスクドライブ、１０２…ハードディスクドライブ（ＨＤＤ）、１０３…制御部、１０４…電源回路
【図１】
2011134373.tif 000003
【図２】
2011134373.tif 000004
【図３】
2011134373.tif 000005
【図４】
2011134373.tif 000006
【図５】
2011134373.tif 000007
【図６】
2011134373.tif 000008
【図７】
2011134373.tif 000009
【図８】
2011134373.tif 000010